(57)【要約】      （修正有）【課題】ヘッドスタックアセンブリのフレキシブルプリント配線板を確実に保持できるとともに容易に取り付けることができ、製造工程及び製造コストを低減できるブラケットの取付構造及びフレキシブルプリント配線板組み付け体を提供する。【解決手段】ヘッドスタックアセンブリ４から延出するフレキシブルプリント配線板２０の端部を保持するブラケット２４は、筐体底面１６ａに固定されるブラケット底部２２と、上記筐体底面１６ａに直交する配線板取付部２３とを備え、上記筐体底面と上記ブラケット底部の一方に、これら部位から一体延出形成された少なくとも一対の掛止部２５を設ける一方、上記筐体底面と上記ブラケット底部の他方に、上記掛止部に係合させられる係合部２２ａを設け、上記フレキシブルプリント配線板の端部を上記配線板取付部に保持した状態で、上記ブラケットが上記筐体底部に立設状態で保持されるように構成している。【選択図】図１
2013131269.tif 000002
【特許請求の範囲】
【請求項１】
磁気記録装置の筐体内において、回動可能に設けられたヘッドスタックアセンブリから延出するフレキシブルプリント配線板の端部を保持するブラケットの取付構造であって、
上記ブラケットは、上記筐体底面に固定されるブラケット底部と、上記筐体底面に直交する配線板取付部とを備え、
上記筐体底面と上記ブラケット底部の一方に、これら部位から一体延出形成された少なくとも一対の掛止部を設ける一方、
上記筐体底面と上記ブラケット底部の他方に、上記掛止部に係合させられる係合部を設け、
上記フレキシブルプリント配線板の端部を上記配線板取付部に保持した状態で、上記ブラケットが上記筐体底部に立設状態で保持される、ブラケットの取付構造。
【請求項２】
上記ブラケットの取付部位に対応する筐体底面に開口部が設けられており、
上記開口部から、上記フレキシブルプリント配線板に接続されたコネクタを延出させるとともに、上記ブラケットの底部によって上記開口部が封止されている、請求項１に記載のブラケットの取付構造。
【請求項３】
上記ブラケット底部に上記掛止部を設ける一方、
上記開口部の縁部に、上記掛止部の先端を掛止するように構成された、請求項２に記載のブラケットの取付構造。
【請求項４】
上記ブラケット底部と上記開口部の縁部との間に、これら部材間で弾性的に挟圧されるシール部材が介挿されている、請求項２又は請求項３のいずれか１項に記載のブラケットの取付構造。
【請求項５】
上記筐体がアルミ鋳物または板金から形成されているとともに、
上記筐体底面に設けられた上記掛止部又は上記係合部が、上記筐体と一体形成されている、請求項１から請求項４のいずれか１項に記載のブラケットの取付構造。
【請求項６】
請求項１から請求項５に記載のブラケットの取付構造に用いられるブラケットが端部に接続された、フレキシブルプリント配線板組み付け体。
【発明の詳細な説明】
【技術分野】
【０００１】
本願発明は、ブラケットの取付構造に関する。詳しくは、ハードディスク等の磁気記録装置のヘッドスタックアセンブリから延出するフレキシブルプリント配線板の端部を保持するブラケットの取付構造及びフレキシブルプリント配線板組み付け体に関する。
【背景技術】
【０００２】
たとえば、ハードディスクドライブ等の磁気ディスク装置においては、磁気ディスクに記録されたデータの書き込みや読み出しを行うためにヘッドスタックアセンブリ（Ｈｅａｄ  Ｓｔａｃｋ  Ａｓｓｅｍｂｌｙ）が用いられる。
【０００３】
上記ヘッドスタックアセンブリを構成するサスペンション側のフレキシブルプリント配線板の端子と、アクチュエータアセンブリ側のメインプリント配線板の端子とが、揺動可能に保持されたキャリッジの側部で接続されている。また、読み書きされるデータを上記ヘッドスタックアセンブリに入出力するために、上記キャリッジの側部から、フレキシブルプリント配線板が延出されており、このフレキシブルプリント配線板の端部が、上記各部材を収容する筐体の底部に立設されたブラケットに保持されている。上記フレキシブルプリント配線板は、上記キャリッジの揺動を妨げないように柔軟なものが採用されるとともに、上記キャリッジの揺動を吸収できるように上記ブラケットとの間に、上記フレキシブルプリント配線板が上記揺動に伴って変形できるだけの弛みが設定されている。
【０００４】
上記ブラケットに保持されるフレキシブルプリント配線板の端部には、上記筐体の内外に設けられた制御回路との接続を行うために、コネクタが設けられ、あるいは、筐体の適部に設けられるコネクタに接続される他の配線板が接続されている。
【先行技術文献】
【特許文献】
【０００５】
【特許文献１】実用新案登録第２５３３２７０号公報
【発明の概要】
【発明が解決しようとする課題】
【０００６】
従来、上記ブラケットは、上記筐体の底面にネジによって取り付けられていた。一方、機器の小型化によって筐体内のスペースが狭くなっており、上記ブラケットをネジで取り付ける作業性が面倒であるとともに、取付作業性が悪いという問題があった。
【０００７】
また、上記筐体における上記ブラケットの下方に開口部を設け、この開口部から上記フレキシブルプリント配線板に接続されたコネクタを延出させる構成が採用される場合も多い。この場合、上記筐体の気密性を保持するため、上記開口部が上記ブラケットによって封止できるように構成する必要があり、上記ブラケットの取付精度を要求される場合も多い。
【０００８】
本願発明は、上記従来の問題を解決し、ヘッドスタックアセンブリのキャリッジ側部から延出するフレキシブルプリント配線板の端部を確実に保持できるとともに、容易に取り付けることができ、製造工程及び製造コストを低減させることができるブラケットの取付構造を提供することを課題とする。
【課題を解決するための手段】
【０００９】
本願の請求項１に記載した発明は、磁気記録装置の筐体内において、回動可能に設けられたヘッドスタックアセンブリから延出するフレキシブルプリント配線板の端部を保持するブラケットの取付構造であって、上記ブラケットは、上記筐体底面に固定されるブラケット底部と、上記筐体底面に直交する配線板取付部とを備え、上記筐体底面と上記ブラケット底部の一方に、これら部位から一体延出形成された少なくとも一対の掛止部を設ける一方、上記筐体底面と上記ブラケット底部の他方に、上記掛止部に係合させられる係合部を設け、上記フレキシブルプリント配線板の端部を上記配線板取付部に保持した状態で、上記ブラケットが上記筐体底部に立設状態で保持されるように構成したものである。
【００１０】
本願発明では、ヘッドスタックアセンブリから延出するフレキシブルプリント配線板を保持するブラケットを、掛止部と係合部による係合によって筐体底部に立設するように構成している。上記掛止部と上記係合部の係合は、弾性力によるものであってもよいし、部材の塑性変形を利用するものであってもよい。
【００１１】
上記構成によって、ネジ手段を用いることなくブラケットを設けることができる。このため、ブラケットの組み付け作業性が高まるばかりでなく、製造工程数を削減することもできる。また、ねじ孔を設けるスペースが不要となるため、ブラケットを設けるために必要なスペースを削減することも可能となり、装置の小型化を図ることもできる。
【００１２】
上記掛止部と上記係合部とは、筐体底面とブラケット底部のいずれの側にも設けることもできる。たとえば、筐体の底面側に掛止部を延出形成する一方、ブラケット底部側に上記掛止部に係合する係合部を設けることができる。また、ブラケット底部側に掛止部を延出形成する一方、上記筐体底面側に上記掛止部が係合できる係合部を設けることもできる。
【００１３】
上記掛止部と上記係合部の係合形態も特に限定されることはない。たとえば、上記掛止部と上記係合部が、互いに嵌合し合う爪部から構成されるものを採用できる。また、掛止部として爪部を設ける一方、上記係合部として上記爪部が係合しうる凹部を採用することができる。また、上記掛止部を弾性変形できるアーム部とこのアーム部先端に設けた爪部とを備えて形成し、上記アーム部の弾性力によって、上記爪部と上記凹部の係合状態を維持することができるように構成することもできる。また、板金製の筐体を採用する場合には、ブラケット装着の際に、上記掛止部の先端部を塑性変形させることにより、係合部に係合させる手法を採用することもできる。
【００１４】
上記配線板取付部にフレキシブルプリント配線板の端部を保持する手法も特に限定されることはない。たとえば、フレキシブルプリント配線板の端部を、接着剤を用いて保持することができる。また、上記フレキシブルプリント配線板を掛止するフック状の掛止手段を設けて構成することもできる。
【００１５】
上記筐体を構成する材料や製造手法も特に限定されることはない。たとえば、請求項５に記載した発明のように、上記筐体をアルミ鋳物または板金から形成するとともに、上記筐体底面に設けられる上記掛止部又は上記係合部を、上記筐体と一体形成することができる。たとえば、アルミダイカストによって形成されるアルミ合金製の上記筐体を採用することができる。また、ステンレス板を折り曲げ加工することにより、上記筐体を形成することができる。上記掛止部及び上記係合部を上記筐体に一体形成することにより、上記筐体の製造工程において上記掛止部あるいは上記係合部を同時に形成することができるため、製造工程を増加させることなく上記掛止部及び上記係合部を形成することができる。
【００１６】
上記ブラケットは、ボイスコイルモータによって揺動させられるキャリッジ側面から延出するフレキシブルプリント配線板の延出部を、上記キャリッジの揺動を阻害しないように保持する目的で設けられる。上記フレキシブルプリント配線板に設けられた回路は、上記筐体の内外に設けられる制御回路等に接続される。上記ブラケットに保持されたフレキシブルプリント配線板と上記制御回路等とを接続する手法は限定されることはない。
【００１７】
たとえば、上記フレキシブルプリント配線板の端部を、他の配線板等を介して上記筐体の側壁等に設けたコネクタ等と接続することができる。
【００１８】
また、請求項２に記載した発明のように、上記ブラケットの取付部位に対応する筐体底面に開口部を設け、上記開口部から、上記フレキシブルプリント配線板に接続されたコネクタを延出させるとともに、上記ブラケットの底部によって上記開口部を封止するように構成することができる。
【００１９】
上記構成を採用すると、ブラケットの取付構造を介してコネクタを保持することが可能となり、コネクタ等の組み付け工程を削減することかできる。
【００２０】
また、上記ブラケットを利用して、上記開口部を封止することができるため、筐体内に埃等が入るのを防止することが可能となる。
【００２１】
請求項５に記載した発明は、請求項１から請求項５に記載のブラケットの取付構造に用いられるブラケットが端部に接続されたフレキシブルプリント配線板組み付け体に係るものである。
【００２２】
あらかじめ、フレキシブルプリント配線板に上記ブラケットを付属させておくことにより、上記フレキシブルプリント配線板及びブラケットの取付工程を容易に行うことが可能となる。
【発明の効果】
【００２３】
磁気記録装置等のヘッドスタックアセンブリから延出するフレキシブルプリント配線板の端部を確実に保持できるとともに、容易に取り付けることができ、さらに、製造工程及び製造コストを低減させることができる。
【図面の簡単な説明】
【００２４】
【図１】本願発明に係るブラケットの取付構造が適用されるハードディスク装置の一例を示す平面図である。
【図２】図１に示すブラケットの取付構造の平面図である。
【図３】図２におけるＩＩＩ−ＩＩＩ線に沿う断面図である。
【図４】図２におけるＩＶ−ＩＶ線に沿う断面図である。
【図５】本願発明に係るブラケットの取付構造を示す分解斜視図である。
【図６】第２の実施形態を示す図であり、図３に相当する断面図である。
【図７】第３の実施形態を示す図であり、図３に相当する断面図である。
【発明を実施するための形態】
【００２５】
以下、本願発明の実施形態を図に基づいて具体的に説明する。
【００２６】
図１は、本願発明に係るブラケットの取付構造が採用されるハードディスク装置１の全体平面図である。ハードディスク装置１は、筐体２内に、情報が記録されるとともにモータで回転可能に支持された複数の磁気ディスク３と、ヘッドスタックアセンブリ４とを備えて構成される。上記ヘッドスタックアセンブリ４は、先端部に上記磁気ディスク３に対して情報を読み書きする図示しないヘッドコアが設けられており、上記ヘッドコアが上記磁気ディスク表面において揺動できるように、揺動可能に保持されている。
【００２７】
上記ヘッドスタックアセンブリは、基端部に設けられたボイスコイルモータ６によって軸１３の回りに揺動可能に支持されたキャリッジ７と、キャリッジ７のアーム部８に設けられたサスペンション９とを備え、このサスペンション９の先端部分に設けられる磁気ヘッド部１０に、上記ヘッドコアが保持されている。
【００２８】
上記ヘッドコアは、上記サスペンション９に沿って設けられる図示しないサンペンション用フレキシブルプリント配線板に接続されており、この接続配線を介して情報がやりとりされる。上記サスペンション用フレキシブルプリント配線板は、上記サスペンション９の中央部分を上記アーム部８の揺動中心に向かって延びるとともに、上記アーム部８の中間部において、上記キャリッジ７の側部に引き出される。そして、このサスペンション用プリント配線板の基端部が、上記キャリッジの側部に固定されたメインプリント配線板２０に接続される。
【００２９】
本実施形態に係るメインプリント配線板２０は、全体がフレキシブルプリント配線板から構成されており、上記キャリッジ７の側部に固定された矩形状の固定部１９と、上記固定部１９から屈曲可能に延出された延出部２１とを備える。上記固定部１９と上記延出部２１とは一体形成されたフレキシブルプリント配線板から構成することもできるし、これら部位を構成する２以上のフレキシブルプリント配線板を接続して形成することもできる。
【００３０】
上記キャリッジ７は上記ボイスコイルモータ６によって揺動させられる。上記延出部２１は、上記揺動を阻害しないように保持される必要がある。このため、上記延出部２１は、上記揺動を吸収できる弛みが設定されているとともに、先端部２１ａがブラケット２４に保持されている。
【００３１】
図４に示すように、上記延出部２１の先端部２１ａの側部には、コネクタ２６を接続したコネクタ接続部２１ｂが延出形成されている。
【００３２】
本実施形態に係る上記ブラケット２４は、上記筐体底面１６ａに固定されるブラケット底部２２と、上記筐体底面１６ａに直交する配線板取付部２３とを備える断面略Ｌ字状に形成されている。そして、上記延出部２１の先端部２１ａが、上記配線板取付部２３に接着剤を介して固定されている。
【００３３】
図３及び図４に示すように、上記筐体底部１６には、コネクタ２６を延出させる開口部１７が設けられている。上記開口部１７は、上記ブラケット底部２２によって封止できる大きさに設定されている。
【００３４】
また、上記開口部１７の両側部には、上記筐体底面１６ａから延出する掛止部２５，２５が一体形成されている。上記掛止部２５は、上記ブラケット底部２２の厚みに対応した長さに形成されているとともに、先端部に上記ブラケット底部２２の上側縁部２２ａに係合できる爪部２５ａが一体形成されている。
【００３５】
上記ブラケット底部２２を上記掛止部２５，２５間において、これら掛止部２５，２５を弾性拡開変形させるようにして筐体底面１６ａまで挿入すると、上記爪部２５ａが、上記ブラケット底部２２の上側縁部２２ａに係合させられる。これにより、上記ブラケット２４が筐体底面１６ａの所定位置に、上記配線板取付部２３が立設された状態で取り付けられる。
【００３６】
上記コネクタ接続部２１ｂは、上記ブラケット底部２２の底面に沿うように折り曲げられるとともに、上記コネクタ２６が、上記開口部１７から延出させられ、図示しないコネクタ等が接続される。
【００３７】
図３、図４及び図５に示すように、本実施形態では、上記開口部１７の内側縁部に凹部１８が形成されている。上記凹部１８には、矩形枠状の弾性シール部材１９が、上記コネクタ接続部２１ｂの下面と上記凹部底面の間で挟圧されるように構成されている。上記シール部材１９を設けることにより、上記開口部１７を確実にシールすることが可能となり、塵芥が筐体２の内部に進入するのを防止できる。
【００３８】
図５に示すように、上記構成のブラケットの取付構造においては、上記コネクタ接続部２１ｂが下面に添着されたブラケット底部２２を、上記掛止部２５，２５間に押圧挿入するだけで、上記記掛止部２５，２５の先端部に設けた爪部２５ａ，２５ａが、ブラケット底部２２の上側縁部に係合して、ブラケット２４を筐体底面１６ａに固定することができる。このため、従来のネジ手段による取付構造に比べて製造工程を削減することができる。
【００３９】
しかも、上記掛止部２５，２５及びブラケット２４は、従来と同様の製造手法によってブラケットの製造と同時に形成できるため、製造工程が増加することもない。このため、製造コストを削減することが可能になるとともに、装置の小型化を図ることも可能となる。なお、本実施形態では、ブラケット底部２２の上側縁部２２ａを上記掛止部２５，２５が係合する係合部としたが、上記ブラケット底部２２に、上記爪部２５ａ，２５ａが係合しうる凹部を係合部として設けることもできる。
【００４０】
図６に、本願発明の第２の実施形態を示す。
【００４１】
本実施形態に係るブラケット２２４は、第１の実施形態と同様に、筐体底面２１６ａに固定されるブラケット底部２２２、上記筐体底面２１６ａに直交する配線板取付部２２３とを備える断面略Ｌ字状に形成されている。そして、第１の実施形態と同様に、上記延出部２１の先端部２１ａが、上記配線板取付部３２３に接着剤を介して固定されている。
【００４２】
第２の実施形態は、筐体底面２１６ａに開口部２１７を設ける一方、上記ブラケット底部２２２に、上記開口部２１７の縁部２１６ｂに係合する爪部２２５ａを先端部に設けた掛止部２２５を一体延出形成している。
【００４３】
また、上記ブラケット底部２２２と上記開口部２１７の上縁部との間には、弾性シール部材２１９が介挿されており、上記ブラケット底部２２２と上記開口部２１７の上縁部との間で弾性挟圧されることにより、塵芥が筐体内に進入するのを防止している。
【００４４】
上記第２の実施形態においても、上記ブラケット底部２２２に形成した掛止部２２５を、筐体底部２１６に形成した開口部２１７に挿入して、先端部爪部２２５ａを上記開口部の外側縁部に係合させるだけで、ブラケット２２４を筐体内面２１６ａに固定することができる。また、上記掛止部２２５は、ブラケットと一体形成されているため製造工程が増加することもない。このため、第１の実施形態と同様の効果を発揮することができる。
【００４５】
図７に、本願発明の第３の実施形態を示す。
【００４６】
この実施形態においても、ブラケット３２４は、第１の実施形態と同様に、筐体底面３１６ａに固定されるブラケット底部３２２と、上記筐体底面３１６ａに直交する配線板取付部３２３とを備える断面略Ｌ字状に形成されている。そして、第１の実施形態と同様に、上記延出部２１の先端部２１ａが、上記配線板取付部３２３に接着剤を介して固定されている。なお、本実施形態では、上記配線板取付部３２３に保持された延出部２１の端部に、筐体の側部等に設けられた図示しないコネクタ等から延びるフレキシブルプリント配線板３２１が接続されている。
【００４７】
第３の実施形態は、筐体をステンレス板金から形成している。そして、筐体底部３１６に設けた開口部３１７に、筐体内側に向けて曲折形成された掛止部３２５，３２５が一体形成されている。上記掛止部３２５の先端部には、爪部３２５ａ，３２５ａが一体形成されている。
【００４８】
一方、上記ブラケット底部３２２の側面には、上記爪部３２５ａ，３２５ａが係合させられる係合凹部３２２ａ，３２２ａが形成されている。
【００４９】
第３の実施形態においても、上記筐体底部３１６に形成した掛止部３２５を、ブラケット底部３２２に形成した係合凹部３２２ａ，３２２ａに係合させるだけで、ブラケットを筐体内面３１６ａに固定することができる。また、上記掛止部３２５は、筐体と一体形成されているため製造工程が増加することもない。このため、第１の実施形態と同様の効果を発揮することができる。また、本実施形態では、上記開口部３１７には、封止部材３３０が設けられており、開口部３１７から筐体内部に塵芥が進入するのを防止している。
【００５０】
上述した実施形態では、断面略Ｌ字状のブラケットを採用したが、ブラケットの形態は限定されることはない。また、フレキシブルプリント配線板の延出部の端部を、接着剤を用いてブラケットの配線板取付部に保持させたが、他の手法を用いて保持することもできる。たとえば、上記配線板取付部に、上記延出部２１の端部を掛止できるフック状の取付手段を一体形成することもできる。
【００５１】
本願発明は、上述の実施例に限定されることはない。今回開示された実施例はすべての点で例示であって、制限的なものではないと考えられるべきである。本願発明の範囲は、上記説明した意味ではなく、特許請求の範囲によって示され、特許請求の範囲と均等の意味及び範囲内でのすべての変更が含まれることが意図される。
【産業上の利用可能性】
【００５２】
磁気記録装置の筐体内において、回動可能に設けられたヘッドスタックアセンブリから延出するフレキシブルプリント配線板の端部を保持するブラケットを容易に取り付けることができ、また、製造工程及び製造コストを低減させることができる。
【符号の説明】
【００５３】
１    ハードディスク装置（磁気記録装置）
２    筐体
４    ヘッドスタックアセンブリ
１６ａ  筐体底面
２１    延出部（フレキシブルプリント配線板）
２２    ブラケット底部
２２ａ  縁部（係合部）
２３    配線板取付部
２４    ブラケット
２５    掛止部
【図１】
2013131269.tif 000003
【図２】
2013131269.tif 000004
【図３】
2013131269.tif 000005
【図４】
2013131269.tif 000006
【図５】
2013131269.tif 000007
【図６】
2013131269.tif 000008
【図７】
2013131269.tif 000009